(57)【要約】【課題】緩衝材が、梱包時には脚部材の保護機能を果たすと共に、開梱後の組み付け時には鍵盤楽器本体や床面に傷が付きにくく且つ楽な姿勢で脚部材の取り付けが行えるように鍵盤楽器本体を支持する機能を果たし、同梱部品を増やすことなく組み付け作業の効率を向上させる。【解決手段】各緩衝ブロック４０において、下面４２の平坦面４２ａに受け部５０が形成される。両支持体１０の梱包状態では、緩衝ブロック４０は、平坦面４２ａが梱包箱３３の底面３３ｅに当接すると共に、支持部４７で支持体１０を支持し、開梱後に緩衝ブロック４０を取り出し裏返して床面３５に載置し、天地逆にした鍵盤楽器本体３０の左端部３０ａ、右端部３０ｂの上面３０ａ１、３０ｂ１を各受け部５０で仮支持させると、鍵盤楽器本体３０の下面３０ｃが上側となって、下面３０ｃに支持体１０の取り付けが上方から行える。【選択図】図５
2010058824.tif 000002
【特許請求の範囲】
【請求項１】
開梱後に鍵盤楽器本体の下部に脚部材が取り付けられることで前記鍵盤楽器本体が前記脚部材で支持される電子鍵盤楽器の、少なくとも前記脚部材が梱包される梱包構造であって、
底面と４つの壁部とを有して収容部が平面視矩形であり、前記脚部材が梱包される梱包箱と、
それぞれ前記脚部材を支持する脚部材支持部を有し、前記脚部材の梱包状態において、前記梱包箱の第１の壁部寄りと、該第１の壁部に対峙する第２の壁部寄りとにそれぞれ配設される２つの緩衝材とを有し、
前記各緩衝材は、前記梱包箱の開梱後に前記各緩衝材を取り出して床面に載置したときに該床面に当接する第１平坦面と、該第１平坦面の反対側の面であって上側を向く第２平坦面とを有し、
前記各緩衝材の第２平坦面には、それぞれの第２平坦面に対して窪んでいて前記鍵盤楽器本体の左端部の上面、右端部の上面にそれぞれ対応する形状の受け部が形成され、
前記脚部材の梱包状態では、前記各緩衝材は、前記脚部材支持部で前記脚部材を支持し、前記梱包箱の開梱後に前記各緩衝材を取り出して前記第１平坦面が下側となるように前記床面に載置し、天地逆にした前記鍵盤楽器本体の前記左右端部を前記受け部で支持させると、前記鍵盤楽器本体の前記下部が上側となって、該下部に対して前記脚部材の取り付けが上方から行えるように構成されたことを特徴とする。
【請求項２】
前記各緩衝材は、前記脚部材の梱包状態において、上側となる第１面と、下側となる第２面と、互いに向き合う内側面と、近接している側の壁部に対向する外側面とを有し、前記各緩衝材において、前記第１平坦面は前記第１面に形成される一方、前記第２平坦面は、前記第２面に形成されて前記脚部材の梱包状態において前記梱包箱の前記底面に対向当接することを特徴とする請求項１記載の梱包構造。
【請求項３】
前記各緩衝材は、前記第１平坦面が前記床面に当接し且つ前記受け部で前記鍵盤楽器本体の前記左右端部を支持した状態において、前記鍵盤楽器本体の前側及び後側とそれぞれ同じ側を向く前記各緩衝材の鉛直な２つの面を有し、該２つの面のうち少なくとも一方の面と前記第１面との間を繋ぐように、面取り形状またはＲ形状が形成されていることを特徴とする請求項２記載の梱包構造。
【請求項４】
前記脚部材支持部は、前記内側面から、前記外側面にまで至らない途中位置まで形成され、前記受け部は、前記外側面から、前記内側面にまで至らない途中位置まで形成され、前記２つの緩衝材の前記外側面同士が対向した状態で前記床面に載置した状態で、前記鍵盤楽器本体の前記左右端部が前記２つの緩衝材の前記各受け部で支持されるように構成されたことを特徴とする請求項２または３記載の梱包構造。
【請求項５】
前記各緩衝材には、溝部が、前記内側面と前記外側面とに連接するいずれかの面において、前記内側面及び前記外側面に対して垂直な方向に延設形成され、前記２つの緩衝材を前記床面に載置し、前記外側面同士が対向した状態で、前記２つの緩衝材の各溝部に１つの嵌合部材を嵌合することで、前記２つの緩衝材の前記床面に平行な水平方向の向きが規制されるように構成されたことを特徴とする請求項２〜４のいずれか１項に記載の梱包構造。
【発明の詳細な説明】
【技術分野】
【０００１】
本発明は、電子鍵盤楽器の主に側板等の脚部材を梱包するための梱包構造に関する。
【背景技術】
【０００２】
従来、電子鍵盤楽器を納品する際に、鍵盤楽器本体等を収容するのに用いられる梱包箱が知られている（下記特許文献１）。また、鍵盤楽器本体が側板等の脚部材で支持される構成の楽器においては、脚部材も、鍵盤楽器本体とは別個に、または同梱により、梱包箱に梱包されるものがある。梱包箱内には、通常、緩衝材が備えられ、運搬時の衝撃から被梱包品が保護される。
【０００３】
この種の楽器では、通常、ユーザ宅等において、梱包箱の開梱後に、鍵盤楽器本体に脚部材の取り付け等の組み付けがなされる。
【特許文献１】特開２０００−２７２６６７号公報
【発明の開示】
【発明が解決しようとする課題】
【０００４】
しかしながら、従来の梱包構造において、緩衝材は、輸送時の緩衝機能のみを果たし、開梱後は不要となる。
【０００５】
また、ユーザ宅等で鍵盤楽器本体に脚部材が組み付けられる構成のものでは、一般に、一旦、鍵盤楽器本体を横向き等にして床面に載置し、脚部材を鍵盤楽器本体の下部に取り付ける。しかし、鍵盤楽器本体が床面直接当接すると、場所によっては鍵盤楽器本体や床面に傷がつくおそれがある。そのため、床面に敷く保護シート等の事前に準備しておく必要があり、作業効率もよくない。
【０００６】
また、鍵盤楽器本体が横向きであると、脚部材の取り付け作業がやりにくい。しかも、脚部材の取り付け後、鍵盤楽器本体を正規の姿勢に起立させる必要があるが、その作業も床面上で行うため、傷が付きやすいだけでなく、起立させる作業もやりにくい。
【０００７】
本発明は上記従来技術の問題を解決するためになされたものであり、その目的は、緩衝材が、梱包時には脚部材の保護機能を果たすと共に、開梱後の組み付け時には鍵盤楽器本体や床面に傷が付きにくく且つ楽な姿勢で脚部材の取り付けが行えるように鍵盤楽器本体を支持する機能を果たし、同梱部品を増やすことなく組み付け作業の効率を向上させることができる梱包構造を提供することにある。
【課題を解決するための手段】
【０００８】
上記目的を達成するために本発明の請求項１の梱包構造は、開梱後に鍵盤楽器本体（３０）の下部（３０ｃ）に脚部材（１０）が取り付けられることで前記鍵盤楽器本体が前記脚部材で支持される電子鍵盤楽器の、少なくとも前記脚部材が梱包される梱包構造であって、底面（３３ｅ）と４つの壁部（３３ａ〜３３ｄ）とを有して収容部が平面視矩形であり、前記脚部材が梱包される梱包箱（３３）と、それぞれ前記脚部材を支持する脚部材支持部（４７）を有し、前記脚部材の梱包状態において、前記梱包箱の第１の壁部（３３ａ）寄りと、該第１の壁部に対峙する第２の壁部（３３ｂ）寄りとにそれぞれ配設される２つの緩衝材（４０Ａ、４０Ｂ）とを有し、前記各緩衝材は、前記梱包箱の開梱後に前記各緩衝材を取り出して床面（３５）に載置したときに該床面に当接する第１平坦面（４１ａ）と、該第１平坦面の反対側の面であって上側を向く第２平坦面（４２ａ）とを有し、前記各緩衝材の第２平坦面には、それぞれの第２平坦面に対して窪んでいて前記鍵盤楽器本体の左端部（３０ａ）の上面（３０ａ１）、右端部（３０ｂ）の上面（３０ｂ１）にそれぞれ対応する形状の受け部（５０）が形成され、前記脚部材の梱包状態では、前記各緩衝材は、前記脚部材支持部で前記脚部材を支持し、前記梱包箱の開梱後に前記各緩衝材を取り出して前記第１平坦面が下側となるように前記床面に載置し、天地逆にした前記鍵盤楽器本体の前記左右端部を前記受け部で支持させると、前記鍵盤楽器本体の前記下部が上側となって、該下部に対して前記脚部材の取り付けが上方から行えるように構成されたことを特徴とする。
【０００９】
好ましくは、前記各緩衝材は、前記脚部材の梱包状態において、上側となる第１面（４１）と、下側となる第２面（４２）と、互いに向き合う内側面（４３）と、近接している側の壁部に対向する外側面（４４）とを有し、前記各緩衝材において、前記第１平坦面（４１ａ）は前記第１面に形成される一方、前記第２平坦面（４２ａ）は、前記第２面に形成されて前記脚部材の梱包状態において前記梱包箱の前記底面に対向当接する（請求項２）。
【００１０】
好ましくは、前記各緩衝材は、前記第１平坦面が前記床面に当接し且つ前記受け部で前記鍵盤楽器本体の前記左右端部を支持した状態において、前記鍵盤楽器本体の前側及び後側とそれぞれ同じ側を向く前記各緩衝材の鉛直な２つの面（４５、４６）を有し、該２つの面のうち少なくとも一方の面と前記第１面との間を繋ぐように、面取り形状（５１）またはＲ形状が形成されている（請求項３）。
【００１１】
好ましくは、前記脚部材支持部は、前記内側面から、前記外側面にまで至らない途中位置まで形成され、前記受け部は、前記外側面から、前記内側面にまで至らない途中位置まで形成され、前記２つの緩衝材の前記外側面同士が対向した状態で前記床面に載置した状態で、前記鍵盤楽器本体の前記左右端部が前記２つの緩衝材の前記各受け部で支持されるように構成され（請求項４）。
【００１２】
好ましくは、前記各緩衝材には、溝部（４９）が、前記内側面と前記外側面とに連接するいずれかの面（４１）において、前記内側面及び前記外側面に対して垂直な方向に延設形成され、前記２つの緩衝材を前記床面に載置し、前記外側面同士が対向した状態で、前記２つの緩衝材の各溝部に１つの嵌合部材（３４）を嵌合することで、前記２つの緩衝材の前記床面に平行な水平方向の向きが規制される（請求項５）。
【００１３】
なお、上記括弧内の符号は例示である。
【発明の効果】
【００１４】
本発明の請求項１によれば、緩衝材が、梱包時には脚部材の保護機能を果たすと共に、開梱後の組み付け時には鍵盤楽器本体や床面に傷が付きにくく且つ楽な姿勢で脚部材の取り付けが行えるように鍵盤楽器本体を支持する機能を果たし、同梱部品を増やすことなく組み付け作業の効率を向上させることができる。
【００１５】
請求項３によれば、各緩衝材に鍵盤楽器本体を支持し、脚部材を取り付けた状態で、鍵盤楽器本体を緩衝材ごと滑らかに起こすことができ、組み付け作業効率を向上させることができる。
【００１６】
請求項４によれば、鍵盤楽器本体を緩衝材で支持する際、緩衝材における受け部の下方において肉部を確保して強度を維持し、安定した支持により作業を円滑に行うことができる。
【００１７】
請求項５によれば、鍵盤楽器本体を緩衝材の受け部で支持するための緩衝材の向きを正確に規定し、組み付け作業効率を向上させることができる。
【発明を実施するための最良の形態】
【００１８】
以下、本発明の実施の形態を図面を参照して説明する。
【００１９】
図１（ａ）は、本発明の一実施の形態に係る梱包構造で梱包される鍵盤楽器を後方からみた斜視図である。図１（ｂ）は、同鍵盤楽器の左側面図である。
【００２０】
この鍵盤楽器は、鍵盤楽器本体３０が、スタンド１に支持されてなる。鍵盤楽器本体３０は、複数の鍵からなる鍵盤部３１を備える電子鍵盤楽器として構成される。以降、鍵盤楽器において、左右方向については、奏者側からみた正面視の方向を基準に呼称する。従って、鍵盤部３１の鍵の並び方向が左右方向である。
【００２１】
図２は、本鍵盤楽器の背面図である。スタンド１は、左右一対の左側支持体１０Ｌ及び右側支持体１０Ｒと、これら支持体１０Ｌ、１０Ｒを連結して補強する機能を有する連結材である框２０とを組み付けて構成される。支持体１０Ｌ、１０Ｒは左右対称である。
【００２２】
代表して、主に左側支持体１０Ｌ及びその近傍の構成を説明する。図２に示すように、左側支持体１０Ｌは、平板状の側板１１Ｌを有し、側板１１Ｌの下端には、接地部１３が２カ所に固着されている（図１（ｂ）も参照）。側板１１Ｌの上端部には、欠切部１２が形成されている。欠切部１２は、側板１１Ｌの内側面１１ｂＬにおいて、左側支持体１０Ｌの後端から前端の途中まで形成される（図１（ｂ）も参照）。
【００２３】
側板１１Ｌの内側面１１ｂＬには、第１固定部材１４Ｌが設けられている。欠切部１２には、例えば前後２カ所に、第２固定部材１５Ｌが設けられている。第１固定部材１４Ｌ、第２固定部材１５Ｌは、いずれも金属製でＬ字状に形成されている。
【００２４】
第１固定部材１４Ｌは、固定片１４ｂＬと突設片１４ａＬとで一体に形成される。固定片１４ｂＬが、側板１１Ｌの内側面１１ｂＬに複数（３つ）のネジで固着されることで、第１固定部材１４Ｌが側板１１Ｌに固定される。それにより、突設片１４ａＬは、右方に突出し、左右方向及び上下方向に平行となる。ただし、上下方向に平行となるように構成する必要はない。突設片１４ａＬには、複数（３つ）の長穴１４ｃが形成されている。長穴１４ｃの数は問わない。第１固定部材１４Ｌが側板１１Ｌに固定された状態において、長穴１４ｃは、左右方向に長い。
【００２５】
第２固定部材１５Ｌは、第１片１５ａＬと第２片１５ｂＬとで一体に形成される。第１片１５ａＬが、欠切部１２の底面に当接した状態で、第２片１５ｂＬが、欠切部１２の内側面に複数（例えば３つ）のネジで固着されることで、第２固定部材１５Ｌが側板１１Ｌに固定される。それにより、第１片１５ａＬは、右方に突出して水平になると共に、第２片１５ｂＬは、上方に突出し、前後方向及び上下方向に平行となる（図１（ｂ）も参照）。
【００２６】
右側支持体１０Ｒについては、左側支持体１０Ｌとは左右対称であるので、図２に示すように、側板１１Ｒの内側面１１ｂＲに設けられる第１固定部材１４Ｒ、側板１１Ｒの欠切部１２に設けられる第２固定部材１５Ｒが、それぞれ、第１固定部材１４Ｌ、第２固定部材１５Ｌに対応する。第１固定部材１４Ｒは、固定片１４ｂＲと突設片１４ａＲとで一体に形成され、第２固定部材１５Ｒは、第１片１５ａＲと第２片１５ｂＲとで一体に形成される。
【００２７】
図２に示すように、鍵盤楽器本体３０は、左端部３０ａ、右端部３０ｂが、それぞれ左側支持体１０Ｌ、右側支持体１０Ｒの各上端部に支持される。左側支持体１０Ｌ、右側支持体１０Ｒと鍵盤楽器本体３０とは、前後方向の長さが同じであり、それぞれの前端面、後端面が面一になっている（図１（ｂ）参照）。鍵盤楽器本体３０の左端部３０ａの上面３０ａ１、右端部３０ｂの上面３０ｂ１は、図１（ｂ）に示すように、側面視でアーチ状に湾曲した凸形状をしている。
【００２８】
図２に示すように、鍵盤楽器本体３０の左端部３０ａには、側板１１Ｌの上端面及び欠切部１２に対応する段差部３９Ｌが下面３０ｃに連接して形成されている（図１（ａ）、（ｂ）、図６（ａ）も参照）。鍵盤楽器本体３０がスタンド１に配設された状態では、鍵盤楽器本体３０の段差部３９Ｌに近い下面３０ｃの部分に、ネジ３６で、下方から、第２固定部材１５Ｌの第１片１５ａＬが螺合固定されている。右端部３０ｂについても左端部３０ａと左右対称に構成され、段差部３９Ｒが形成される。段差部３９Ｒに近い下面３０ｃの部分に、ネジ３６で、下方から、右側支持体１０Ｒの第２固定部材１５Ｒの第１片１５ａＲが螺合固定されている。
【００２９】
框２０の左端部２０ａ、右端部２０ｂの各後面には、第１固定部材１４Ｌ、１４Ｒの固定片１４ｂＬ、１４ｂＲの各長穴１４ｃに対応して、止まり穴である不図示のネジ穴が形成されている。框２０の左端部２０ａ、右端部２０ｂは、固定片１４ｂＬ、１４ｂＲの各長穴１４ｃを介して、ネジ１６を框２０の上記対応するネジ穴に螺合することで、第１固定部材１４Ｌ、１４Ｒにそれぞれ固定される。
【００３０】
鍵盤楽器本体３０がスタンド１に配設された状態において、框２０の長さは、側板１１Ｌの内側面１１ｂＬと側板１１Ｒの内側面１１ｂＲとの間隔よりも少し短い。框２０が固定される際には、長穴１４ｃと框２０の上記対応するネジ穴とが合致する範囲内で、框２０の左右方向の位置を任意に選択でき、固定後においても、ネジ１６を一旦緩めて框２０の左右方向の位置を調節することができる。
【００３１】
図３（ａ）は、本梱包構造が適用される梱包箱の開封状態の模式的な平面図である。図３（ｂ）は、図３（ａ）のＡ−Ａ線に沿う断面図である。この梱包箱３３には、スタンド１の構成部品である支持体１０Ｌ、１０Ｒ、框２０が梱包される。鍵盤楽器本体３０については別個に梱包されるが、スタンド１と一緒に梱包される構造を採用してもよい。
【００３２】
図３（ａ）に示すように、梱包箱３３は、框２０が収容可能なように長尺に形成される。梱包箱３３の内部は、長手方向端部の壁部であって互いに対峙する第１の壁部３３ａ、第２の壁部３３ｂと、短手方向の端部の壁部であって互いに対峙する第３の壁部３３ｃ、第４の壁部３３ｄと、底面３３ｅとを有し、収容部が平面視長方形となっている。第１の壁部３３ａ、第２の壁部３３ｂ寄りにはそれぞれ、緩衝ブロック４０Ａ、４０Ｂが配置される。梱包箱３３の長手方向中央には、中間支持材６０が配置される。緩衝ブロック４０Ａ、４０Ｂ、中間支持材６０は、発泡スチロール等でなり、緩衝機能を有する。
【００３３】
図４は、スタンド１の梱包状態における緩衝ブロック４０Ａ、４０Ｂ、中間支持材６０の配置を示す斜視図である。緩衝ブロック４０Ａ、４０Ｂの構成は同一であり、使用する際の向きが異なるだけであるので、以降、両者を区別しないときは、単に「緩衝ブロック４０」と記す。緩衝ブロック４０及び中間支持材６０は、凹凸形状や面取り形状を無視すれば、概略直方体（六面体）形状を呈する。
【００３４】
スタンド１の梱包状態、すなわち、緩衝ブロック４０が梱包箱３３内に配置されている状態において、緩衝ブロック４０Ａ、４０Ｂの、互いに向き合う面を、内側面４３と呼称する。一方、緩衝ブロック４０Ａ、４０Ｂの、第１の壁部３３ａ、第２の壁部３３ｂに対向する側の面を、外側面４４と呼称する。また、便宜上、緩衝ブロック４０が梱包箱３３内に配置されている状態を天地が正規の状態とし、上側／下側についてもその状態を基準とする。
【００３５】
図５（ａ）、（ｂ）、（ｃ）は、それぞれ、緩衝ブロック４０の平面図、内側面を正面からみた図、下面図である。図５（ｃ）については、後述する。
【００３６】
まず、緩衝ブロック４０の構成を説明する。図５（ａ）〜（ｃ）に示すように、緩衝ブロック４０は、スタンド１の梱包状態において上側となる上面４１、下側となる下面４２とを有する。また、これら上面４１、下面４２、上記した内側面４３、外側面４４の４面以外の残りの２面は、これら４面に対して垂直な第１側面４５、第２側面４６である。
【００３７】
図４、図５（ａ）、（ｂ）に示すように、緩衝ブロック４０において、上面４１のうち平坦な部分が平坦面４１ａである。平坦面４１ａに対して窪んで、溝部４９と、框２０を支持する凹状の框支持部４８とが形成されている。溝部４９は、内側面４３及び外側面４４に垂直な、緩衝ブロック４０の短手方向に沿って、上面４１の全長に亘って延設形成されている。框支持部４８は、溝部４９に対してさらに１段下がった段差を形成するように設けられる。框支持部４８は、内側面４３に連接し、緩衝ブロック４０の短手方向において、外側面４４にまで至らない途中位置まで形成されている。また、第１側面４５と上面４１との間、第２側面４６と上面４１との間を繋ぐように、それぞれ面取り５１が形成されている。
【００３８】
図５（ｂ）、（ｃ）に示すように、緩衝ブロック４０において、下面４２のうち平坦な部分が平坦面４２ａである。平坦面４２ａに対して窪んで凹状の受け部５０が形成されている。緩衝ブロック４０Ａ、４０Ｂの受け部５０は、それぞれ、鍵盤楽器本体３０の左端部３０ａの上面３０ａ１、右端部３０ｂの上面３０ｂ１に対応するアーチ形状となっている。受け部５０は、外側面４４に連接し、緩衝ブロック４０の短手方向において、内側面４３にまで至らない途中位置まで形成されている。
【００３９】
図３、図４、図５（ｂ）に示すように、緩衝ブロック４０において、支持体１０の上端部を支持する支持部４７が形成されている。支持部４７は、緩衝ブロック４０の短手方向において、内側面４３から、外側面４４にまで至らない途中位置まで設けられ、内側面４３に開口して袋状に形成されている。
【００４０】
ここで、側板１１Ｌ、１１Ｒは、それぞれ左側支持体１０Ｌ、右側支持体１０Ｒとして組み立てられた状態で梱包される。従って、それぞれ第１固定部材１４Ｌ及び第２固定部材１５Ｌ、第１固定部材１４Ｒ及び第２固定部材１５Ｒが取り付けられた状態で緩衝ブロック４０に支持される。そのため、支持部４７において、第２固定部材１５Ｌ、１５Ｒ用の逃げ部が上側に形成され、支持部４７が、内側面４３からみて天地逆の下駄の正面視形状に似た形状になっている（図５（ｂ）参照）。
【００４１】
図３（ｂ）、図４に示すように、中間支持材６０の上面には、中間支持材６０の短手方向に沿って、緩衝ブロック４０の框支持部４８、溝部４９の延長線上に、それぞれ框支持溝部６３、溝部６４が形成されている。また、緩衝ブロック４０Ａ、４０Ｂに対向する側の面には、それぞれ、支持体１０の下端部を支持する支持部６２が形成されている。
【００４２】
スタンド１の梱包状態を説明する。図３（ｂ）に示すように、緩衝ブロック４０は、下面４２が下を向いて配置され、平坦面４２ａが梱包箱３３の底面３３ｅに対向当接する。また、緩衝ブロック４０Ａ、４０Ｂの外側面４４が、それぞれ、第１の壁部３３ａ、第２の壁部３３ｂに対向し、近接乃至当接する。なお、緩衝ブロック４０Ａの第１側面４５、第２側面４６は、それぞれ、第３の壁部３３ｃ、第４の壁部３３ｄに対向し、近接乃至当接する。緩衝ブロック４０Ｂの第１側面４５、第２側面４６は、それぞれ、第４の壁部３３ｄ、第３の壁部３３ｃに対向し、近接乃至当接する。
【００４３】
緩衝ブロック４０Ａの支持部４７に支持体１０Ｌの側板１１Ｌの上端部が挿入され支持されると共に、中間支持材６０の、緩衝ブロック４０Ａの側の支持部６２に側板１１Ｌの下端部が挿入され支持される。支持体１０Ｒについても支持体１０Ｌと同様に、緩衝ブロック４０Ｂの支持部４７に側板１１Ｒの上端部が挿入され支持されると共に、中間支持材６０の、緩衝ブロック４０Ｂの側の支持部６２に側板１１Ｒの下端部が挿入され支持される。
【００４４】
これらにより、各支持体１０が、各緩衝ブロック４０と中間支持材６０との間に橋渡し状態で支持され、外力から保護される。
【００４５】
また、緩衝ブロック４０Ａの框支持部４８、中間支持材６０の框支持溝部６３、及び緩衝ブロック４０Ｂの框支持部４８に亘って、框２０が支持される。框２０の両端部は、框支持部４８に嵌合される。また、緩衝ブロック４０Ａの溝部４９、中間支持材６０の溝部６４、及び緩衝ブロック４０Ｂの溝部４９に亘って、保護板材３４が支持される。保護板材３４の両端部は、両溝部４９に嵌合される。保護板材３４は、例えば、板状の段ボール等で構成され、長手方向の長さが、梱包箱３３の長手方向の長さと同じかやや短い。保護板材３４は、框２０の上に積層される状態で配設され、框２０を保護する。
【００４６】
次に、ユーザ宅等において、梱包箱３３を開梱し、左側支持体１０Ｌ、右側支持体１０Ｒを鍵盤楽器本体３０に取り付ける作業について説明する。従来と同様に、作業者が多数居れば、左側支持体１０Ｌ、右側支持体１０Ｒを真っ直ぐに起立させた状態で鍵盤楽器本体３０を支持するよう固定することは可能である。しかし、本実施の形態では、一旦、天地を逆にした鍵盤楽器本体３０に対して、左側支持体１０Ｌ、右側支持体１０Ｒを取り付けるという手法をとる。その際、緩衝ブロック４０を、鍵盤楽器本体３０の仮支持部材として利用する。
【００４７】
図５（ｄ）は、天地逆の鍵盤楽器本体３０が緩衝ブロック４０に仮支持されている状態を示す断面図である。図５（ｄ）に示すように、緩衝ブロック４０Ａ、４０Ｂを梱包箱３３から取り出し、スタンド１の梱包状態の場合とは上下を逆にすると共に、互いの外側面４４が向き合うように床面３５の上に配置する。ここで、互いの外側面４４が向き合う状態で、緩衝ブロック４０Ａ、４０Ｂの各溝部４９が平行になるので、これら溝部４９に、保護板材３４を嵌合する。これにより、床面３５に平行な水平方向における緩衝ブロック４０Ａ、４０Ｂの向きが正確に規制され、外側面４４同士が正面で向き合うようになる。
【００４８】
手順としては、緩衝ブロック４０Ａ、４０Ｂを天地逆にする前に、外側面４４同士を向き合わせた緩衝ブロック４０Ａ、４０Ｂの各溝部４９に、保護板材３４の各端部を嵌合してから、保護板材３４と一緒に天地を逆にすればよい。保護板材３４の両端と各内側面４３との位置を合わせると、緩衝ブロック４０Ａ、４０Ｂがちょうど適切な間隔となるようになっている。
【００４９】
図６（ａ）〜（ｃ）は、鍵盤楽器本体３０を緩衝ブロック４０に天地逆にして載置してスタンド１を取り付ける行程を示す図である。本実施の形態では、一例として、緩衝ブロック４０Ａ、４０Ｂが鍵盤楽器本体３０の左端部３０ａ、右端部３０ｂをそれぞれ仮支持する場合を示す。図６（ａ）〜（ｃ）は、緩衝ブロック４０Ａの側、すなわち、鍵盤楽器本体３０でいうと左端部３０ａの側からみた側面視の図である。緩衝ブロック４０Ａと左端部３０ａの上面３０ａ１との関係は、緩衝ブロック４０Ｂと右端部３０ｂの上面３０ｂ１との関係と左右対称であって同様であるので、主に左端部３０ａに着目して説明する。
【００５０】
図５（ｄ）に示す状態に、緩衝ブロック４０を床面に載置したら、次に、鍵盤楽器本体３０を逆さにして、緩衝ブロック４０Ａ、４０Ｂの各受け部５０に鍵盤楽器本体３０の左端部３０ａの上面３０ａ１、右端部３０ｂの上面３０ｂ１を当接させ、支持させる。これにより、鍵盤楽器本体３０の下面３０ｃが上側を向いて水平となる（図６（ａ）、（ｂ）参照）。
【００５１】
そして、左側支持体１０Ｌ、右側支持体１０Ｒを逆さにして降ろし、上記したように、鍵盤楽器本体３０の下面３０ｃに対して、ネジ３６（図６（ａ）参照）で、第２固定部材１５Ｌの第１片１５ａＬ、第２固定部材１５Ｒの第１片１５ａＲをそれぞれ螺合固定する。この状態では、下面３０ｃが上側に露出するので、左側支持体１０Ｌ、右側支持体１０Ｒの取り付け作業が上方から行え、楽な姿勢で作業ができる。鍵盤楽器本体３０の姿勢が安定しているので、支持体１０を１つずつ取り付けるのであれば、１人でも取り付け作業が可能である。
【００５２】
このように、２本の支持体１０が取り付けされたら（図６（ｂ）参照）、鍵盤楽器としては完成したことになる。その後、鍵盤楽器を起立させる。図６（ｃ）に示すように、鍵盤楽器を緩衝ブロック４０ごと同図時計方向に回動させる。鍵盤楽器を回動させていくと、緩衝ブロック４０も一緒に回動していくので、緩衝ブロック４０の面取り５１が床面３５に平行となって当接した状態で、一時的に鍵盤楽器及び緩衝ブロック４０が安定する。上面３０ａ１及び受け部５０がアーチ状なので、両者が共に平坦である場合に比し、鍵盤楽器本体３０が受け部５０から滑ってずれ落ちにくい。
【００５３】
この安定状態で、例えば、手を持ち替えたり、体の姿勢を整えたりすることができ、起立作業が容易になっている。なお、面取り５１は、緩衝ブロック４０の両側に設けているので、鍵盤楽器を回動させる方向は、反時計方向でもよい。ところで、保護板材３４は、鍵盤楽器本体３０が緩衝ブロック４０に仮支持された以降は不要になるので、任意のときに取り外してもよい。
【００５４】
その後、鍵盤楽器が横倒状態まで傾けた後、さらに直立させ、緩衝ブロック４０を取り外す。これにより、ユーザ宅での組み付け作業が完了する。
【００５５】
本実施の形態によれば、鍵盤楽器本体３０に支持体１０を取り付ける際、天地逆にした鍵盤楽器本体３０を緩衝ブロック４０の受け部５０で仮支持でき、しかも、鍵盤楽器本体３０の下面３０ｃが上側に露出する。従って、開梱後の組み付け時には鍵盤楽器本体３０や床面３５に傷が付きにくく且つ楽な姿勢で支持体１０の取り付けが行え、組み付け作業の効率を向上させることができる。
【００５６】
また、梱包箱３３に配設される緩衝ブロック４０が、梱包時において支持体１０等の保護機能を果たすと共に、開梱後における鍵盤楽器本体３０の仮支持に兼用されるので、同梱部品が増えることがない。
【００５７】
また、緩衝ブロック４０には面取り５１が形成されているので、各緩衝ブロック４０に鍵盤楽器本体３０を仮支持し、支持体１０を取り付けた状態で鍵盤楽器を起こす際、面取り５１が床面３５に当接した状態で仮安定する。従って、鍵盤楽器本体３０を緩衝ブロック４０ごと滑らかに起こすことができ、組み付け作業効率の向上に繋がる。それでいて、梱包状態においては、緩衝ブロック４０において、面取り５１は、下側となる面である下面４２に連接していないので、下面４２については前後方向いっぱいまで肉部を設ける設計が可能となり、鍵盤楽器本体３０の荷重をしっかり受けることができる。
【００５８】
また、支持部４７及び框支持部４８の形成位置は、緩衝ブロック４０の短手方向において、内側面４３から外側面４４にまで至らない途中位置までである一方、受け部５０の形成位置は、その反対に、外側面４４から内側面４３にまで至らない途中位置までである。従って、緩衝ブロック４０を逆さにして鍵盤楽器本体３０を受け部５０で仮支持させる際、受け部５０の下方においては、肉部が確保される。これにより、鍵盤楽器本体３０からの荷重を受ける部分の鉛直方向には空洞部が少なく、床面３５に対して真っ直ぐに荷重がかかるので、緩衝ブロック４０の強度が維持され、安定した仮支持により作業を円滑に行うことができる。
【００５９】
なお、緩衝ブロック４０の強度維持の効果を求めない場合は、緩衝ブロック４０の短手方向における受け部５０の形成位置を支持部４７及び框支持部４８と同じとしてもよい。
【００６０】
また、開梱後において、緩衝ブロック４０Ａ、４０Ｂを互いの外側面４４が向き合うように床面３５の上に配置し、溝部４９に、保護板材３４を嵌合することで、緩衝ブロック４０Ａ、４０Ｂの水平方向の向きが正確に規制される。しかも、保護板材３４の両端と各内側面４３との位置を合わせることで、緩衝ブロック４０Ａ、４０Ｂの間隔も規定される。これらにより、各受け部５０の位置と鍵盤楽器本体３０の左端部３０ａの上面３０ａ１及び右端部３０ｂの上面３０ｂ１との位置が正確に合うので、組み付け作業効率を向上させることができる。また、保護板材３４は、梱包時においては梱包箱３３に配設されて框２０の保護機能をも果たすので、同梱部品が増えることがない。
【００６１】
なお、緩衝ブロック４０Ａ、４０Ｂの間隔をより正確に規定するためには、緩衝ブロック４０Ａ、４０Ｂと保護板材３４（図５（ｄ）参照）との間に、互いに当接や嵌合等の係合関係を有する位置決め機構部分を設け、保護板材３４の長手方向における位置を規定するようにしてもよい。
【００６２】
なお、緩衝ブロック４０において、受け部５０（図５（ｂ）参照）は、鍵盤楽器本体３０の左端部３０ａ、右端部３０ｂの各上面３０ａ１、３０ｂ１に対応する形状としたが、同じ形状に限られず、上面３０ａ１、３０ｂ１を安定して支持できる形状であればよい。従って、面で当接する形状に限られず、複数の点当接や線当接で支持できる形状としてもよい。
【００６３】
なお、緩衝ブロック４０の面取り５１（図５（ａ）、（ｂ）参照）は、第１側面４５側、第２側面４６側においてそれぞれ１段階のものとして設けたが、角度が異なる２段階以上のものとして設けてもよい。そのようにすると、起立作業の際に、鍵盤楽器が仮安定する角度が２以上となる。また、天地逆の鍵盤楽器を起立させる際に、緩衝ブロック４０ごと円滑に回動させる観点に限れば、面取り５１に代えてＲ形状としてもよい。
【００６４】
なお、天地逆の鍵盤楽器を起立させる際に、緩衝ブロック４０ごと円滑に回動させる観点に限れば、受け部５０（図５（ｂ）参照）が設けられる上側の面（下面４２）は、床面３５に当接し面取り５１が連接する下側の面（上面４１）に対して反対側に位置していればよい。すなわち、梱包時における位置関係は問わず、楽器支持時に上側／下側の関係になればよい。従って、緩衝ブロック４０において、鍵盤楽器を支持する際の上記「上側の面」と「下側の面」は、例えば、内側面４３と外側面４４の組み合わせ、あるいは、第１側面４５と第２側面４６の組み合わせとする設計も可能である。
【００６５】
なお、開梱後において、緩衝ブロック４０の溝部４９に保護板材３４を嵌合することで、緩衝ブロック４０の水平方向の向きが正確に規制されるようにしたが、この機能に限って言えば、溝部４９を設ける箇所は、緩衝ブロック４０の上面４１に限られず、第１側面４５、第２側面４６または下面４２であってもよい。
【００６６】
なお、緩衝ブロック４０の支持部４７（図５（ｂ）参照）は、支持体１０を支持する機能を果たすことに限れば、袋状に限られず、貫通穴でもよく、あるいは、上面４１や下面４２の側に開口した凹部であってもよい。また、支持体１０の梱包状態を上下逆にして、支持部４７に、支持体１０の上端部でなく下端部が支持されるようにしてもよい。さらには、支持体１０Ｌ、１０Ｒを逆にして、緩衝ブロック４０Ａ、４０Ｂに支持体１０Ｒ、１０Ｌが支持されるようにしてもよい。
【００６７】
なお、演奏使用時に鍵盤楽器本体３０を支持すると共に、梱包箱３３に梱包される脚部材として、支持体１０及び框２０を例示したが、これらに限られない。例えば、パイプ状の脚部や、それらを補強する補強材も、脚部材に含まれる。また、支持体１０は、側板１１と他の部品とを分離した状態で梱包されるようにし、単体の側板１１が緩衝ブロック４０に支持されるようにしてもよい。
【図面の簡単な説明】
【００６８】
【図１】本発明の一実施の形態に係る梱包構造で梱包される鍵盤楽器を後方からみた斜視図（図（ａ））、同鍵盤楽器の左側面図（図（ｂ））である。
【図２】本鍵盤楽器の背面図である。
【図３】本梱包構造が適用される梱包箱の開封状態の模式的な平面図（図（ａ））、図３（ａ）のＡ−Ａ線に沿う断面図（図（ｂ））である。
【図４】スタンドの梱包状態における緩衝ブロック、中間支持材の配置を示す斜視図である。
【図５】緩衝ブロックの平面図（図（ａ））、内側面を正面からみた図（図（ｂ））、下面図（図（ｃ））、天地逆の鍵盤楽器本体３０が緩衝ブロック４０に仮支持されている状態を示す断面図（図（ｄ））である。
【図６】鍵盤楽器本体を緩衝ブロックに天地逆にして載置してスタンドを取り付ける行程を示す図（図（ａ）〜（ｃ））である。
【符号の説明】
【００６９】
１０Ｌ  左側支持体（脚部材）、  １０Ｒ  右側支持体（脚部材）、  ３０  鍵盤楽器本体、  ３０ａ  左端部、  ３０ａ１  上面、  ３０ｂ  右端部、  ３０ｂ１  上面、  ３０ｃ  下面（下部）、  ３３  梱包箱、  ３３ａ  第１の壁部、  ３３ｂ  第２の壁部、  ３３ｃ  第３の壁部、  ３３ｄ  第４の壁部、  ３４  保護板材（嵌合部材）、  ３５  床面、  ４０Ａ、４０Ｂ  緩衝ブロック、  ４１  上面（第１面）、  ４２  下面（第２面）、  ４３  内側面、  ４４  外側面、  ４５  第１側面、  ４６  第２側面、  ４７  支持部（脚部材支持部）、  ４１ａ  平坦面（第１平坦面）、  ４２ａ  平坦面（第２平坦面）、  ４９  溝部、  ５０  受け部、  ５１  面取り（面取り形状）
【図１】
2010058824.tif 000003
【図２】
2010058824.tif 000004
【図３】
2010058824.tif 000005
【図４】
2010058824.tif 000006
【図５】
2010058824.tif 000007
【図６】
2010058824.tif 000008